(57)【要約】【課題】効率的に無線通信システムを選択可能な移動無線端末装置を提供する。【解決手段】移動無線端末装置の位置情報を検出する位置情報検出手段２１と、移動無線端末装置が利用の無線通信システム種別情報または関連する情報を検出する無線通信システム種別情報検出手段２２と、位置情報と、無線通信システム種別情報または関連する情報とを記憶する記憶手段と、位置情報および無線通信システム種別情報または関連する情報を、記憶手段に自律的に順次記憶させていく記憶制御手段２３と、移動無線端末装置の現在位置情報を入力情報として、記憶手段に自律的に順次蓄積された複数組の位置情報および無線通信システム種別情報または関連する情報を適応的に検索して、現在位置での無線通信システムの種別情報または関連する情報を選択する無線通信システム種別情報検索手段２４とそなえる。【選択図】図２
2013055442.tif 000002
【特許請求の範囲】
【請求項１】
複数の無線通信システムの利用が可能な移動無線端末装置であって、
該移動無線端末装置の位置情報を検出する位置情報検出手段と、
該移動無線端末装置が利用の無線通信システム種別情報または該無線通信システム種別情報に関連する情報を検出する無線通信システム種別情報検出手段と、
該位置情報検出手段で検出された上記の移動無線端末装置の位置情報と、該無線通信システム種別情報検出手段で検出された上記の無線通信システム種別情報または該無線通信システム種別情報に関連する情報とを記憶する記憶手段と、
上記の移動無線端末装置の位置情報および上記の無線通信システム種別情報または該無線通信システム種別情報に関連する情報を、該記憶手段に自律的に順次記憶させていく記憶制御手段と、
該移動無線端末装置の現在位置情報を入力情報として、該記憶制御手段によって、該記憶手段に自律的に順次蓄積された複数組の上記の移動無線端末装置の位置情報および上記の無線通信システム種別情報または該無線通信システム種別情報に関連する情報を適応的に検索して、現在位置での無線通信システム種別情報または該現在位置での無線通信システム種別情報に関連する情報を選択する無線通信システム種別情報検索手段とそなえて構成されたことを特徴とする、移動無線端末装置。
【請求項２】
該記憶制御手段が、上記の移動無線端末装置の位置情報および上記無線通信システム種別情報または該無線通信システム種別情報に関連する情報を、該移動無線端末装置の待ち受ける無線通信システムが未知もしくは変更される場合または一定時間が経過した場合に、該記憶手段に自律的に順次記憶させていく記憶制御手段として構成されたことを特徴とする、請求項１記載の移動無線端末装置。
【請求項３】
該記憶制御手段が、上記の移動無線端末装置の位置情報および上記無線通信システム種別情報または該無線通信システム種別情報に関連する情報を、該移動無線端末装置の待ち受ける無線通信システムが未知もしくは変更される場合として、該移動無線端末装置が新たな無線通信システムで待ち受けた場合に、該記憶手段に自律的に順次記憶させていく記憶制御手段として構成されたことを特徴とする、請求項２記載の移動無線端末装置。
【請求項４】
該無線通信システム種別情報検索手段が、該移動無線端末装置の現在位置情報が入力されると、上記現在位置情報と該記憶手段に蓄積されている複数の上記の移動無線端末装置の位置情報との距離情報をそれぞれ演算し、演算結果に基づき、該現在位置情に近い上記の無線通信システム種別情報または該無線通信システム種別情報に関連する情報の順に優先度を決定し、この優先度に従って、現在位置での無線通信システム種別情報または該現在位置での無線通信システム種別情報に関連する情報を検索する手段として構成されたことを特徴とする、請求項１ないし請求項３のいずれかに記載の移動無線端末装置。
【請求項５】
上記現在位置情報の入力が、該移動無線端末装置の電源オン時または該移動無線端末装置の通信終了時または該移動無線端末装置が圏外状態から待ち受けた場合に行なわれることを特徴とする、請求項４記載の移動無線端末装置。
【発明の詳細な説明】
【技術分野】
【０００１】
本件は、移動無線端末装置に関し、特に複数の無線通信システムの利用が可能な移動無線端末装置に関する。
【背景技術】
【０００２】
現在の携帯電話機などの移動無線端末装置の中には、ＣＤＭＡ（Ｃｏｄｅ  Ｄｉｖｉｓｉｏｎ  Ｍｕｌｔｉｐｌｅ  Ａｃｃｅｓｓ）２０００、Ｗ（Ｗｉｄｅｂａｎｄ）−ＣＤＭＡなどの３Ｇ（３ｒｄ  Ｇｅｎｅｒａｔｉｏｎ）−ＣＤＭＡ網などに加え、Ｗｉ−Ｆｉ（Ｗｉｒｅｌｅｓｓ  Ｆｉｄｅｌｉｔｙ）、ＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）、フェムトなど複数の通信システムと通信することができるものもあり、このような移動無線端末装置を使用すると、ユーザは、幅広いサービスの提供を受けることができる。
【０００３】
しかしながら、その反面、以下のような課題が挙げられる。
上記のような複数の無線通信システムの利用が可能な移動無線端末装置では、獲得可能な通信システムを総当り的に検索する（システムサーチを行なう）ため、検索にかかる時間が増大してしまい、特定の通信システムに待ち受けるまでに長い時間を要する。また、このため、移動無線端末装置の電池の消耗が早くなる。
【０００４】
また、複数の通信システムを利用可能な移動無線端末装置において、予めプログラムされた一定の優先順位で利用可能な通信システムの検索をする方法や、ユーザ操作により利用する通信システムを設定するといった方法がある。
しかしながら、予めプログラムされた一定の優先順位で利用可能な通信システムを検索する場合、移動無線端末装置がサービスエリア外にあり、特定の通信システムを利用できない環境にある場合においても、常に一定の優先順位で通信システムの検索を行なうため、サービス獲得までに時間がかかり効率的でない。
【０００５】
また、ユーザ操作により利用する通信システムを設定する場合、単にユーザの手間がかかるだけでなく、ユーザは通信を希望する通信システムのサービスエリアの変更などを意識する必要がある。
さらに、上述の複数の通信システムを利用可能な移動無線端末装置おいて、移動無線端末装置の位置と移動速度とに基づいて利用する通信システムの検索を行なう方法が知られている（下記特許文献１参照）。
【先行技術文献】
【特許文献】
【０００６】
【特許文献１】特開２００１−３０９４４５号公報
【発明の概要】
【発明が解決しようとする課題】
【０００７】
しかしながら、上記の特許文献記載の方法を用いるには、利用可能な全ての通信システムに関するデータを予めデータベースに保持しておかなければならない。
また、利用可能な全ての通信システムについて総当り的な検索を行なうため、システムサーチに時間がかかる。
そこで、本件は、効率的に無線通信システムを選択可能な移動無線端末装置を提供することを目的の１つとする。
【０００８】
なお、前記目的に限らず、後述する発明を実施するための形態に示す各構成により導かれる作用効果であって、従来の技術によっては得られない作用効果を奏することも本件の他の目的の一つとして位置付けることができる。
【課題を解決するための手段】
【０００９】
本件の移動無線端末装置は、複数の無線通信システムの利用が可能な移動無線端末装置であって、該移動無線端末装置の位置情報を検出する位置情報検出手段と、該移動無線端末装置が利用の無線通信システム種別情報または該無線通信システム種別情報に関連する情報を検出する無線通信システム種別情報検出手段と、該位置情報検出手段で検出された上記の移動無線端末装置の位置情報と、該無線通信システム種別情報検出手段で検出された上記の無線通信システム種別情報または該無線通信システム種別情報に関連する情報とを記憶する記憶手段と、上記の移動無線端末装置の位置情報および上記の無線通信システム種別情報または該無線通信システム種別情報に関連する情報を、該記憶手段に自律的に順次記憶させていく記憶制御手段と、該移動無線端末装置の現在位置情報を入力情報として、該記憶制御手段によって、該記憶手段に自律的に順次蓄積された複数組の上記の移動無線端末装置の位置情報および上記の無線通信システム種別情報または該無線通信システム種別情報に関連する情報を適応的に検索して、現在位置での無線通信システム種別情報または該現在位置での無線通信システム種別情報に関連する情報を選択する無線通信システム種別情報検索手段とそなえて構成される。
【発明の効果】
【００１０】
効率的に無線通信システムを選択可能な移動無線端末装置を提供することが可能となる。
【図面の簡単な説明】
【００１１】
【図１】一実施形態に係る移動無線端末装置のハードウェア構成の一例を示す図である。
【図２】図１に示すＣＰＵを機能的に表現した図である。
【図３】各通信システムのエリア構成の一例を示す図である。
【図４】データベースに蓄積されるデータベース情報の構造の一例を示す図である。
【図５】（Ａ），（Ｂ）は、表示部の画面表示の一例を示す図である。
【図６】レコードを地図上に表示した場合の画面表示の一例を示す図である。
【図７】移動無線端末装置の通信システムの選択の動作フローである。
【図８】データベースに蓄積されるデータベース情報の構造の他の一例を示す図である。
【図９】一変形例に係る移動無線端末装置の構成の一例を示す図である。
【発明を実施するための形態】
【００１２】
以下、図面を参照して本発明の実施の形態を説明する。ただし、以下に示す実施の形態は、あくまでも例示に過ぎず、以下に示す各実施形態及び変形例で明示しない種々の変形や技術の適用を排除する意図はない。即ち、各実施形態及び変形例を、本発明の趣旨を逸脱しない範囲で種々変形して実施できることはいうまでもない。
〔１〕一実施形態
（１．１）移動無線端末の構成
図１は、一実施形態に係る移動無線端末装置のハードウェア構成の一例を示す図である。
【００１３】
図１に示す移動無線端末装置１０は、例示的に、種々の制御や演算を行なう処理装置であるＣＰＵ（Ｃｅｎｔｒａｌ  Ｐｒｏｃｅｓｓｉｎｇ  Ｕｎｉｔ）１１と、移動無線端末１０が利用のデータやプログラムなどを記憶する記憶装置１２と、それぞれ後述するＣＤＭＡ（Ｃｏｄｅ  Ｄｉｖｉｓｉｏｎ  Ｍｕｌｔｉｐｌｅ  Ａｃｃｅｓｓ）プロトコルモジュール２７，ＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）プロトコルモジュール２８，ＬＴＥ（Ｌｏｎｇ  Ｔｅｒｍ  Ｅｖｏｌｕｔｉｏｎ）プロトコルモジュール２９及びＧＰＳ（Ｇｌｏｂａｌ  Ｐｏｓｉｔｉｏｎｉｎｇ  Ｓｙｓｔｅｍ）モジュール３０に対応する送受信アンテナ１３〜１６と、マイク１７及びレシーバ１８と、表示装置の一例であるＬＣＤ（Ｌｉｑｕｉｄ  Ｃｒｙｓｔａｌ  Ｄｉｓｐｌａｙ）１９と、入力キー２０とをそなえる。
【００１４】
図２は、図１に示すＣＰＵを機能的に表現した図である。なお、図２に示す機能構成の全体についても、特に矛盾が生じない限りは移動無線端末装置１０と表記する。
この図２に示す移動無線端末装置１０は、例示的に、位置情報検出部２１と、システム種別情報検出部２２と、記憶制御部２３と、システム種別情報検索部２４と、システム選択モジュール２５と、システム優先度テーブル２６と、ＣＤＭＡプロトコルモジュール２７と、ＷｉＭＡＸプロトコルモジュール２８と、ＬＴＥプロトコルモジュール２９と、ＧＰＳモジュール３０とをそなえる。
【００１５】
ＣＤＭＡプロトコルモジュール２７，ＷｉＭＡＸプロトコルモジュール２８，ＬＴＥプロトコルモジュール２９は、それぞれ、対応する通信システムの規格に応じたプロトコル動作を行なうものであり、例えば、所定の符号化・変調処理及び復調・復号処理を施す。
ＧＰＳモジュール３０は、ＧＰＳを利用して、移動無線端末装置１０の現在位置、もしくは、移動無線端末装置１０が通信中の基地局の位置を測位する。
【００１６】
位置情報検出部２１は、移動無線端末装置１０の現在位置を示す位置情報を取得する。この位置情報は、例えば、経度緯度情報のように、移動無線端末装置１０の位置を特定できる情報で表される。即ち、位置情報検出部２１は、移動無線端末装置１０の位置情報を検出する位置情報検出手段の一例として機能する。
なお、上記位置情報は、現在通信中の通信システムを通じて取得することができる。例えば、ＣＤＭＡシステムなどでは、網からの報知情報に含まれている経度緯度情報を使用することができる。図２の例では、位置情報検出部２１は、ＣＤＭＡプロトコルモジュール２７，ＷｉＭＡＸプロトコルモジュール２８またはＬＴＥプロトコルモジュール２９を介して、経度緯度情報を取得する。
【００１７】
また、ＣＤＭＡプロトコルモジュール２７，ＷｉＭＡＸプロトコルモジュール２８及びＬＴＥプロトコルモジュール２９から受動的に取得できる位置情報がない場合は、移動無線端末装置１０に搭載されたＧＰＳの機能を用いて取得してもよい。即ち、ＣＤＭＡプロトコルモジュール２７，ＷｉＭＡＸプロトコルモジュール２８及びＬＴＥプロトコルモジュール２９は、それぞれＧＰＳモジュール３０と結合されており、任意のタイミングでＧＰＳモジュール３０から位置情報を取得することができる。
【００１８】
また、位置情報検出部２１は、ＧＰＳモジュール３０から直接位置情報を取得することもできる。
システム種別情報検出部２２は、移動無線端末装置１０が通信可能な通信システムを示す無線通信システム種別情報を検出する。即ち、システム種別情報検出部２２は、移動無線端末装置１０が利用の無線通信システム種別情報または該無線通信システム種別情報に関連する情報を検出する無線通信システム種別情報検出手段の一例として機能する。
【００１９】
ここで、図１に示す記憶装置１２は、上記位置情報と上記無線通信システム種別情報とを関連付けたデータを蓄積する（以下、蓄積されるデータをレコードともいう）。即ち、上記の記憶装置１２は、位置情報検出手段で検出された移動無線端末装置１０の位置情報と、無線通信システム種別情報検出手段で検出された無線通信システム種別情報または該無線通信システム種別情報に関連する情報とを記憶する記憶手段の一例として機能する。
【００２０】
図３は、各通信システムのエリア構成の一例を示す図であり、図４は、図３に示すエリア構成に対応する、記憶装置１２に蓄積されるデータベース情報の構造の一例を示す図である。
図４に示されるように、記憶装置１２には、少なくとも無線通信システム種別情報と位置情報とが記憶される。
【００２１】
また、レコードを記憶した時刻情報を併せて記憶することで、例えば、記憶後一定時間経過したレコードについては記憶装置１２から削除するなど、記憶装置１２のメンテナンスに使用することができる。なお、上記時刻情報にかえて、基準時刻からの経過時間を用いても良い。
また、記憶装置１２に記憶された内容を、着脱可能な小型メモリ等を用いて他の端末に移すことで、情報を共有することができる。これにより、ユーザは、例えば、端末を新たに購入した際に、過去に他の端末によって蓄積されたデータを利用することができる。
【００２２】
さらに、複数のユーザの行動範囲が同じであれば、各ユーザが取得した情報を共有することで、効率的にデータベースを構築できる。
記憶制御部２３は、記憶装置１２への記憶制御を行なうものであり、所定のタイミングで、無線通信システム種別情報や位置情報からなるデータを、記憶装置１２へ記憶させる。即ち、記憶制御部２３は、移動無線端末装置１０の位置情報および上記の無線通信システム種別情報または該無線通信システム種別情報に関連する情報を、記憶手段に自律的に順次記憶させていく記憶制御手段の一例として機能する。
【００２３】
なお、記憶手段に自律的に順次記憶させていくタイミングは、例えば、移動無線端末装置１０が、ハンドオフなどによりある通信システムを捕捉、獲得した際、一定時間経過した際（定期的に記憶させる）、位置登録や接続動作などで、ある通信システムにアクセスした際、などを含む。
システム種別情報検索部２４は、移動無線端末装置１０の位置情報を基に、当該位置情報に応じた通信システムの検索を行なう。即ち、システム種別情報検索部２４は、移動無線端末装置１０の現在位置情報を入力情報として、記憶制御手段によって、記憶手段に自律的に順次蓄積された複数組の移動無線端末装置の位置情報および無線通信システム種別情報または該無線通信システム種別情報に関連する情報を適応的に検索して、現在位置での無線通信システム種別情報または該現在位置での無線通信システム種別情報に関連する情報を選択する無線通信システム種別情報検索手段の一例として機能する。
【００２４】
具体的には、システム種別情報検索部２４は、移動無線端末装置１０の現在地の経度緯度（ここでは、緯度をＸ（−９０≦Ｘ≦９０），経度をＹ（−１８０≦Ｙ≦１８０）とする。）と、記憶装置１２内に蓄積された各レコードの経度緯度（それぞれ緯度をＸｎ（−９０≦Ｘ≦９０），経度をＹｎ（−１８０≦Ｙ≦１８０）とし、ｎ＝１，２，３，…，Ｎ（ただしＮは総レコード数）とする。）との距離Ｄｎを算出する。
【００２５】
Ｄｎは、例えば、以下の式（１）を用いて算出することができる。
【００２６】
【数１】
2013055442.tif 000003
【００２７】
なお、現在地とデータベース内の各レコードの近さを確認できれば良い為、各Ｄｎの単位は、統一されていれば任意に決定してよい。
システム種別情報検索部２４は、上記の式（１）で求めたＤｎ（ｎ＝１，２，３，…，Ｎ）のうち、小さい値を有する（つまり現在地から近い）通信システムから順に、移動無線端末装置１０が選択する通信システムの優先順位づけを行なう。
【００２８】
図３に示す例において、移動無線端末装置１０が、（３５．７１，１４９．５３）の場所に存在する場合、各通信システムの優先度は、ＷｉＭＡＸ＞ＣＤＭＡ＞ＬＴＥとなる。
また、これに基づき、後述するシステム選択モジュール２５は、求められた優先度に基づき、ＷｉＭＡＸ，ＣＤＭＡ，ＬＴＥの順に通信システムの獲得を行なう。各通信システム内での基地局の獲得手順は、それぞれの通信システムの規格で定められた方法で実施する。
【００２９】
なお、通信システムの獲得を試みたがどの通信システムも獲得できなかった場合、何れかの通信システムが獲得できるまで、再び上記の優先度に基づいて通信システムの獲得を試みる。移動無線端末装置１０の電力消費を考慮して、徐々に通信システムの獲得を試みる間隔を広げてもよい。
また、初回電源ＯＮ時など、記憶装置１２にレコードが存在しない場合、システム選択モジュール２５は、予めプログラミングされた優先順位での通信システムの獲得を試みる。また、所定の通信システムを待ち受けた際に、待ち受けた通信システムの種別と位置情報とを記憶装置１２に保持する。
【００３０】
ここで、図１に示すＬＣＤ１９は、記憶装置１２内に蓄積されたレコードの内容を、移動無線端末装置１０のユーザに対して表示するものである。即ち、ＬＣＤ１９は、記憶手段に記憶されている移動無線端末装置１０の位置情報と無線通信システム種別情報または該無線通信システム種別情報に関連する情報とを表示する表示手段、もしくは、記憶手段に記憶されている移動無線端末装置の位置情報に対応する地図上に、対応する上記無線通信システム種別情報または該無線通信システム種別情報に関連する情報を表示する表示手段の一例として機能する。
【００３１】
図５（Ａ），（Ｂ）は、ＬＣＤ１９における画面表示の一例を示す図である。
図５（Ａ）は、ある時刻における画面表示の一例を示す。また、更に時間が経過した場合、記録されたレコードが増えるため、図５（Ｂ）のような画面表示になる。
なお、画面表示の際に、緯度経度で示される位置情報を地名に変換して表示することで、ユーザビリティーを向上させることができる。
【００３２】
また、図６に示すように、蓄積されたレコードを地図上に表示させることで、ユーザが、所望する通信システムが利用可能な場所を視覚的に理解することができ、所望する通信システムが利用可能な場所への移動が容易になる。
さらに、図６の点線で示すように、蓄積されたレコードの配置に基づき、各通信システムの利用可能エリアを推測して表示することで、ユーザはより直感的に各通信システムの利用可能エリアを把握することができる。
【００３３】
また、時刻情報を地図上に表示することで、移動無線端末装置１０の移動履歴を時系列で確認することができる。
なお、地図データは、移動無線端末の工場出荷時において記憶装置１２に予め記憶させておいても良いし、所定の通信システムへのアクセス時にダウンロードして記憶装置１２へ記憶させても良い。
【００３４】
システム選択モジュール２５は、システム種別情報検索部２４で求められた優先度に基づき、通信システムの獲得を行なう。このため、システム選択モジュール２５は、ＣＤＭＡプロトコルモジュール２７と、ＷｉＭＡＸプロトコルモジュール２８と、ＬＴＥプロトコルモジュール２９とに接続される。
なお、システム種別情報検索部２４で求められた優先度を、記憶装置１２内に設けられたシステム優先度テーブル２６が一旦保持し、システム選択モジュール２５は、システム優先度テーブル２６を参照することで通信システムの優先度についての情報を取得しても良い。
【００３５】
（１．２）移動無線端末装置の通信システム選択の動作フロー
以下に、上述した移動無線端末装置１０の通信システム選択の動作フローを説明する。
図７は、移動無線端末装置の通信システムの選択の動作フローである。
移動無線端末装置１０は、電源ＯＮ時に（この他には、無線ロスト（圏外），通信終了及び一定時間経過などの際に）通信システムの選択を開始する。
【００３６】
まず、位置情報検出部２１は、移動無線端末１０の現在の位置情報を取得する（ステップＳ１）。
次に、システム種別情報検索部２４は、記憶装置１２に記憶された通信システムから、現在位置に近い通信システムから順に優先順位づけを行ない、システム選択モジュール２５は当該優先順位に基づき通信システムの獲得を試みる（ステップＳ２）。なお、初回電源ＯＮ時など、記憶装置１２にレコードが存在しない場合、システム選択モジュール２５は、予めプログラミングされた優先順位での通信システムの獲得を試みる。
【００３７】
そして、システム選択モジュール２５は、通信システムを獲得する（ステップＳ３）。
次に、位置情報検出部２１は、現在の位置情報を取得する（ステップＳ４）。
そして、システム種別情報検出部２２は、ステップＳ３で獲得した通信システムの情報を無線通信システム種別情報として検出し、記憶制御部２３は、システム種別情報検出部２２が検出した無線通信システム種別情報と、ステップＳ４で位置情報検出部２１が取得した位置情報とを記憶装置１２に蓄積すべく、記憶装置１２の内容を更新する（ステップＳ５）。
【００３８】
次に、移動無線端末装置１０は、獲得システムでの待ち受けを行なう（ステップＳ６）。
ここで、無線ロスト，通信終了及び一定時間の経過などで、通信システムの再選択を行なう必要がある場合には（ステップＳ７のｉルート）、ステップＳ１へ移行する。
一方、ハンドオフなどにより、例えば新たな基地局を獲得した場合（ステップＳ７のiiルート）、記憶装置１２の更新を行なうべく、ステップＳ４へ移行する。
【００３９】
また、前回のシステム獲得から一定時間の経過があった場合（ステップＳ７のiiiルート）、ステップＳ４へ移行する。
さらに、位置登録や接続動作などで通信システムにアクセスした場合は（ステップＳ７のivルート）、ステップＳ４へ移行する。
即ち、図７に示す移動無線端末装置の通信システム選択の動作フローにおいては、移動無線端末装置の位置情報を検出するステップと、移動無線端末装置が利用の無線通信システム種別情報または無線通信システム種別情報に関連する情報を検出するステップと、移動無線端末装置の位置情報および無線通信システム種別情報または無線通信システム種別情報に関連する情報を、移動無線端末装置付設の記憶手段に自律的に順次記憶させていくステップと、移動無線端末装置の現在位置情報を入力情報として、記憶手段に自律的に順次蓄積された複数組の移動無線端末装置の位置情報および無線通信システム種別情報または無線通信システム種別情報に関連する情報を適応的に検索して、現在位置での無線通信システム種別情報または現在位置での無線通信システム種別情報に関連する情報を選択するステップとを実行していることになる。
【００４０】
なお、上述した例では、図７に示す動作フローをステップＳ１から開始したが、例えば、ステップＳ４から開始することとしてもよい。
上述した構成によると、移動無線端末装置１０は、利用可能な通信システムに関する情報と位置情報とを記憶装置１２に自律的に順次記憶させておき、必要に応じて、現在位置情報を基に、当該記憶装置１２から利用する通信システムを適応的に検索することにより、利用する通信システムを効率的に選択することができる。
【００４１】
これにより、ユーザは、素早く的確な通信システムにアクセスすることができる。
また、システムサーチにかかる時間を低減することができるため、移動無線端末装置の電力消費を抑えることができる。
〔２〕その他
なお、上述した移動無線端末装置１０の各構成及び各機能は、必要に応じて取捨選択してもよいし、適宜組み合わせて用いてもよい。即ち、本発明の機能を発揮できるように、上記の各構成及び各機能を取捨選択したり、適宜組み合わせて用いたりしてもよい。
【００４２】
また、上述した一実施形態における位置情報検出部２１，システム種別情報検出部２２，記憶制御部２３，システム種別情報検出部２４，システム選択モジュール２５，ＣＤＭＡプロトコルモジュール２７，ＷｉＭＡＸプロトコルモジュール２８，ＬＴＥプロトコルモジュール２９及びＧＰＳモジュール３０は、コンピュータが、制御プログラムを実行することにより機能する。即ち、制御プログラムは、少なくともコンピュータに、複数の無線通信システムの利用が可能な移動無線端末装置の位置情報および移動無線端末装置が利用の無線通信システム種別情報または無線通信システム種別情報に関連する情報を、移動無線端末装置付設の記憶手段に自律的に順次記憶させていくステップと、移動無線端末装置の現在位置情報を入力情報として、記憶手段に自律的に順次蓄積された複数組の移動無線端末装置の位置情報および無線通信システム種別情報または無線通信システム種別情報に関連する情報を適応的に検索して、現在位置での無線通信システム種別情報または現在位置での無線通信システム種別情報に関連する情報を選択するステップとを実行させるための機能を有するものである。
【００４３】
なお、上記制御プログラムは、例えば、フレキシブルディスク，ＣＤ（ＣＤ−ＲＯＭ，ＣＤ−Ｒ，ＣＤ−ＲＷ等），ＤＶＤ（ＤＶＤ−ＲＯＭ，ＤＶＤ−ＲＡＭ，ＤＶＤ−Ｒ，ＤＶＤ＋Ｒ，ＤＶＤ−ＲＷ，ＤＶＤ＋ＲＷ，ＨＤ  ＤＶＤ等），ブルーレイディスク，磁気ディスク，光ディスク，光磁気ディスク等の、コンピュータ読取可能な記録媒体に記録された形態で提供される。そして、コンピュータはその記録媒体からプログラムを読み取って内部記憶装置または外部記憶装置に転送し格納して用いる。又、そのプログラムを、例えば磁気ディスク，光ディスク，光磁気ディスク等の記憶装置（記録媒体）に記録しておき、その記憶装置から通信経路を介してコンピュータに提供するようにしてもよい。
【００４４】
また、本件において、コンピュータとは、ハードウェアとオペレーティングシステムとを含む概念であり、オペレーティングシステムの制御の下で動作するハードウェアを意味している。さらに、オペレーティングシステムが不要でアプリケーションプログラム単独でハードウェアを動作させるような場合には、そのハードウェア自体がコンピュータに相当する。本件においては、ＣＰＵ１１がコンピュータとしての機能を有しているのである。
【００４５】
さらに、上述した一実施形態では、移動無線端末装置１０が、ＣＤＭＡプロトコルモジュール２７，ＷｉＭＡＸプロトコルモジュール２８及びＬＴＥプロトコルモジュール２９の３種類の通信モジュールをそなえる例について説明したが、これらはあくまで例示であり、利用可能な通信システムの種類や数を限定する意図はない。即ち、例えば、Ｗｉ−Ｆｉなどの他の通信システムを利用する場合や、２種類または４種類以上の通信システムを利用する場合についても同様に実施することができる。
【００４６】
移動無線端末装置１０がより多くの通信システムを利用する場合、本件は、上述したように、効率的なシステムサーチを行なうことができるため、より一層の効果を期待できる。
また、上述した一実施形態では、記憶装置１２に、無線通信システム種別情報と位置情報とを関連付けて記憶させる例について説明したが、無線通信システム種別情報にかえて無線通信システム種別情報に関連する情報を用いても良い。
【００４７】
例えば、図８に示すように、サービスを提供する事業者の情報と位置情報とを記憶装置１２に記憶させても良い。
これにより、ユーザは、現在位置において利用可能な事業者のサービスを効率的に選択することができる。
さらに、事業者は、事業者の情報及び位置情報をユーザから受け取ることにより、ユーザが実際に利用できているサービスエリアを的確に把握することができる。これにより、事業者は、サービスエリアの調査を行なう必要がなくなる。
【００４８】
また、本件は、上述した一実施形態における移動無線端末装置１０として、例えば、携帯電話機（フィーチャーフォンやスマートフォンなど），携帯メディアプレイヤー及び携帯ゲーム機など、複数の無線通信システムの利用が可能な移動無線端末装置であれば、任意の移動無線端末装置を用いて実施することができる。
さらに、本件は、この他に、例えば、携帯電話機やデータ通信カードなどの通信用装置と接続された、パソコンなどのユーザ端末を用いて実施することができる。
【００４９】
図９は、上述した一実施形態の一変形例に係る移動無線端末装置１０′のハードウェア構成の一例を示す図である。なお、図９中、既述の符号を付した各構成については、前述の各構成と同様の機能を具備するので、その詳細な説明は省略する。
ユーザ端末４０は、例えば、当該ユーザ端末４０のＵＳＢ端子や専用のスロットにセットされた通信用装置５０を介して通信を行なう。
【００５０】
図９に示す例では、ユーザ端末４０は、ＬＣＤ１９及び入力キー２０をそなえ、通信用装置５０は、ＣＰＵ１１と、記憶装置１２と、送受信アンテナ１３〜１６とをそなえる。  なお、ユーザ端末４０のＬＣＤ１９及び入力キー２０を通信用装置５０がそなえることで、図９に示される全構成をデータ通信カード４０に集約してもよい。
また、図９に示す通信用装置５０の各構成は、ユーザ端末４０がそなえていてもよい。
【００５１】
さらに、通信用装置５０のＣＰＵ１１によって実現される各機能（即ち、図２に示す位置情報検出部２１，システム種別情報検出部２２，記憶制御部２３，システム種別情報検索部２４，システム選択モジュール２５，システム優先度テーブル２６，ＣＤＭＡプロトコルモジュール２７，ＷｉＭＡＸプロトコルモジュール２８，ＬＴＥプロトコルモジュール２９及びＧＰＳモジュール３０）は、ユーザ端末４０に分担させても良い。
【００５２】
この場合、通信用装置５０の処理をユーザ端末４０が担うことができ、通信用装置５０の処理負荷が軽減されるため、処理の高速化やデータ通信用装置５０の回路規模の縮小化などが可能になる。
以上の実施形態及び変形例に関し、さらに以下の付記を開示する。
〔３〕付記
（付記１）
複数の無線通信システムの利用が可能な移動無線端末装置であって、
該移動無線端末装置の位置情報を検出する位置情報検出手段と、
該移動無線端末装置が利用の無線通信システム種別情報または該無線通信システム種別情報に関連する情報を検出する無線通信システム種別情報検出手段と、
該位置情報検出手段で検出された上記の移動無線端末装置の位置情報と、該無線通信システム種別情報検出手段で検出された上記の無線通信システム種別情報または該無線通信システム種別情報に関連する情報とを記憶する記憶手段と、
上記の移動無線端末装置の位置情報および上記の無線通信システム種別情報または該無線通信システム種別情報に関連する情報を、該記憶手段に自律的に順次記憶させていく記憶制御手段と、
該移動無線端末装置の現在位置情報を入力情報として、該記憶制御手段によって、該記憶手段に自律的に順次蓄積された複数組の上記の移動無線端末装置の位置情報および上記の無線通信システム種別情報または該無線通信システム種別情報に関連する情報を適応的に検索して、現在位置での無線通信システム種別情報または該現在位置での無線通信システム種別情報に関連する情報を選択する無線通信システム種別情報検索手段とそなえて構成されたことを特徴とする、移動無線端末装置。
（付記２）
該記憶制御手段が、上記の移動無線端末装置の位置情報および上記無線通信システム種別情報または該無線通信システム種別情報に関連する情報を、該移動無線端末装置の待ち受ける無線通信システムが未知もしくは変更される場合または一定時間が経過した場合に、該記憶手段に自律的に順次記憶させていく記憶制御手段として構成されたことを特徴とする、付記１記載の移動無線端末装置。
（付記３）
該記憶制御手段が、上記の移動無線端末装置の位置情報および上記無線通信システム種別情報または該無線通信システム種別情報に関連する情報を、該移動無線端末装置の待ち受ける無線通信システムが未知もしくは変更される場合として、該移動無線端末装置が新たな無線通信システムで待ち受けた場合に、該記憶手段に自律的に順次記憶させていく記憶制御手段として構成されたことを特徴とする、付記２記載の移動無線端末装置。
（付記４）
該無線通信システム種別情報検索手段が、該移動無線端末装置の現在位置情報が入力されると、上記現在位置情報と該記憶手段に蓄積されている複数の上記の移動無線端末装置の位置情報との距離情報をそれぞれ演算し、演算結果に基づき、該現在位置情に近い上記の無線通信システム種別情報または該無線通信システム種別情報に関連する情報の順に優先度を決定し、この優先度に従って、現在位置での無線通信システム種別情報または該現在位置での無線通信システム種別情報に関連する情報を検索する手段として構成されたことを特徴とする、付記１ないし付記３のいずれかに記載の移動無線端末装置。
（付記５）
上記現在位置情報の入力が、該移動無線端末装置の電源オン時または該移動無線端末装置の通信終了時または該移動無線端末装置が圏外状態から待ち受けた場合に行なわれることを特徴とする、付記４記載の移動無線端末装置。
（付記６）
該移動無線端末装置の初回電源オン時は、該無線通信システム種別情報検索手段による検索に優先して、予め決められた優先度に従って、上記無線通信システム種別情報または該無線通信システム種別情報に関連する情報を検索する初回電源オン時無線通信システム種別情報検索手段が設けられたことを特徴とする、付記１ないし付記５のいずれかに記載の移動無線端末装置。
（付記７）
該位置情報検出手段が、該移動無線端末装置が利用の無線通信システムからの報知情報に含まれる該移動無線端末装置の位置情報またはＧＰＳによる位置情報を選択的に検出する手段として構成されたことを特徴とする、付記１ないし付記６のいずれかに記載の移動無線端末装置。
（付記８）
該記憶手段が、上記の移動無線端末装置の位置情報と上記無線通信システム種別情報または該無線通信システム種別情報に関連する情報とを記憶したときの時刻情報に関連する情報も記憶する手段として構成されたことを特徴とする、付記１ないし付記７のいずれかに記載の移動無線端末装置。
（付記９）
該記憶手段に記憶されている上記の移動無線端末装置の位置情報と上記無線通信システム種別情報または該無線通信システム種別情報に関連する情報とを表示する表示手段が設けられていることを特徴とする、付記１ないし付記７のいずれかに記載の移動無線端末装置。
（付記１０）
該記憶手段に記憶されている上記の移動無線端末装置の位置情報に対応する地図上に、対応する上記無線通信システム種別情報または該無線通信システム種別情報に関連する情報を表示する表示手段が設けられていることを特徴とする、付記１ないし付記７のいずれかに記載の移動無線端末装置。
（付記１１）
該表示手段が、上記の移動無線端末装置の位置情報と上記無線通信システム種別情報または該無線通信システム種別情報に関連する情報とを記憶したときの時刻情報に関連する情報も、上記の移動無線端末装置の位置情報と上記無線通信システム種別情報または該無線通信システム種別情報に関連する情報に併記して表示する表示手段として構成されたことを特徴とする、付記９または付記１０に記載の移動無線端末装置。
（付記１２）
複数の無線通信システムの利用が可能な移動無線端末装置において、
該移動無線端末装置の位置情報を検出するステップと、
該移動無線端末装置が利用の無線通信システム種別情報または該無線通信システム種別情報に関連する情報を検出するステップと、
上記の移動無線端末装置の位置情報および上記の無線通信システム種別情報または該無線通信システム種別情報に関連する情報を、該移動無線端末装置付設の記憶手段に自律的に順次記憶させていくステップと、
該移動無線端末装置の現在位置情報を入力情報として、該記憶手段に自律的に順次蓄積された複数組の上記の移動無線端末装置の位置情報および上記の無線通信システム種別情報または該無線通信システム種別情報に関連する情報を適応的に検索して、該現在位置での無線通信システム種別情報または該現在位置での無線通信システム種別情報に関連する情報を選択するステップとをそなえて構成されたことを特徴とする、移動無線端末装置における無線通信システム種別情報検索方法。
（付記１３）
コンピュータに、
複数の無線通信システムの利用が可能な移動無線端末装置の位置情報および該移動無線端末装置が利用の無線通信システム種別情報または該無線通信システム種別情報に関連する情報を、該移動無線端末装置付設の記憶手段に自律的に順次記憶させていくステップと、
該移動無線端末装置の現在位置情報を入力情報として、該記憶手段に自律的に順次蓄積された複数組の上記の移動無線端末装置の位置情報および上記の無線通信システム種別情報または該無線通信システム種別情報に関連する情報を適応的に検索して、該現在位置での無線通信システム種別情報または該現在位置での無線通信システム種別情報に関連する情報を選択するステップとを実行させるためのプログラム。
【符号の説明】
【００５３】
１０，１０′  移動無線端末装置
１１  ＣＰＵ
１２  記憶装置
１３〜１６  送受信アンテナ
１７  マイク
１８  レシーバ
１９  ＬＣＤ
２０  入力キー
２１  位置情報検出部
２２  システム種別情報検出部
２３  記憶制御部
２４  システム種別情報検索部
２５  システム選択モジュール
２６  システム優先度テーブル
２７  ＣＤＭＡプロトコルモジュール
２８  ＷｉＭＡＸプロトコルモジュール
２９  ＬＴＥプロトコルモジュール
３０  ＧＰＳモジュール
４０  ユーザ端末
５０  通信用装置
【図１】
2013055442.tif 000004
【図２】
2013055442.tif 000005
【図３】
2013055442.tif 000006
【図４】
2013055442.tif 000007
【図５】
2013055442.tif 000008
【図６】
2013055442.tif 000009
【図７】
2013055442.tif 000010
【図８】
2013055442.tif 000011
【図９】
2013055442.tif 000012